(57)【特許請求の範囲】
【請求項１】
搬送路により搬送されてきた紙幣を収容する紙幣収容装置であって、この紙幣収容装置はスタッカ装置と紙幣金庫と光学的検出センサとを備え、前記紙幣金庫は前後方向に移動させることで着脱可能に形成され、前記スタッカ装置により押し込まれる紙幣を保持する押え部材がスプリングを介して取り付けられ、この押え部材の下部には棒状の押圧部材が下向きに突設され、前記紙幣金庫の底板に横方向に形成されたスリット孔に沿って移動可能に形成され、前記スタッカ装置は、前端に下方への切り欠きが形成され、前記紙幣金庫を水平に引き出す時に前記押圧部材がぶつからないようにし、底部の下面には検出可動部材と前記光学的検出センサとが配設され、前記検出可動部材は、アーム状に形成されそのほぼ中央部に回転支軸を取り付けることで水平面内を回転できるように形成されると共に、スプリングを介して付勢されており、一方の端部が前記棒状の押圧部材と接離可能に位置し、他方の端部は前記光学的検出センサに出入可能に形成され、前記紙幣金庫に所定枚数の紙幣が収容された時に、前記押圧部材が前記検出可動部材に係合し、この検出可動部材を前記光学的検出センサが検出することを特徴とする紙幣収容装置。
【発明の詳細な説明】
【０００１】
【発明の属する技術分野】
本発明は、パチンコやスロットマシン等の遊技機に付帯させて使用する紙幣収納装置に関する。
【０００２】
【従来の技術】
パチンコやスロットマシン等の遊技場においては、図５のように遊技機Ｍを複数台並列配置していわゆる島を形成し、遊技機Ｍの間には遊技媒体貸し機Ｎを配設してパチンコ玉や遊技用コイン等を貸し出すようにしてある。遊技媒体貸し機Ｎには紙幣挿入口が設けられ、この挿入口に所定の紙幣Ｊ例えば千円札を挿入すると、所定数のパチンコ玉や遊技用コイン等が排出される。遊技媒体貸し機Ｎに挿入された紙幣Ｊは、各遊技媒体貸し機Ｎに連結された紙幣搬送路Ｈ内に送り込まれ、この搬送路Ｈに沿って搬送されると共に搬送路Ｈの下流端部に配設された紙幣収容装置Ｒ内に取り込まれて集積される。
【０００３】
紙幣収容装置Ｒは、従来例えば図３に示すようにボックス型のケースＡ内の上部に制御装置Ｂが取り付けられ、下部にはスタッカ装置Ｃと紙幣金庫Ｄが配設されている。スタッカ装置Ｃの底面には、図４の円内のように発光部と受光部を有する光学的検出センサ（フォトセンサ）Ｅが取り付けられ、紙幣金庫Ｄの板状押え部材Ｆの下部にはＬ型の係合片Ｇが取り付けられている。
【０００４】
この紙幣収容装置Ｒにおいては、各遊技媒体貸し機Ｎに連結された搬送路Ｈにより送られてきた紙幣Ｊは、スタッカ装置Ｃにより紙幣金庫Ｄに押し込まれ、前記押え部材Ｆにより横立ち状態にて保持される。押え部材ＦはスプリングＩを介して付勢されており、紙幣Ｊが増えるにつれてスプリングＩに抗して徐々に移動し、紙幣Ｊが所定枚数に達すると前記係合片Ｇが検出センサＥ内に入り込み（図４）、この検出センサＥにより検出される。検出信号は前記制御装置Ｂに入力され、前面の表示部Ｋに点灯等の所定の表示がなされる。この表示を見た係員は、図３のようにケースＡの前面扉を解錠して開き、前記紙幣金庫Ｄを矢印のように持ち上げてスタッカ装置Ｃから外し、手前に移動させてケースＡ外に取り出す。
【０００５】
【発明が解決しようとする課題】
しかしながら、上記従来の紙幣収容装置Ｒによると、紙幣金庫Ｄをスタッカ装置Ｃから外す際に、ケースＡ内に手を差し入れて前記係合片Ｇを検出センサＥから外さねばならない。係合片Ｇ及び検出センサＥは、前記のように紙幣金庫Ｄ及びスタッカ装置Ｃの下面にそれぞれ位置しているため見難く、且つ手探りで外さなければならないので作業がし難いばかりか、検出センサＥを破損する等の問題があった。又、紙幣金庫Ｄを上方に持ち上げて外すため、制御装置Ｂとの間に広いスペースをあけておかねばならず、ケースＡが大型化するという問題もあった。
【０００６】
本発明は、このような従来の紙幣収容装置Ｒにおける問題をすべて解消するためになされ、手探りによる係合片Ｇの外し作業を廃止し、紙幣金庫Ｄを手前に引き出すだけで簡単に取り出せるようにし、検出センサＥを保護すると共に制御装置Ｂとの間に広いスペースを確保せずに済むようにした紙幣収容装置を提供することを目的とする。
【０００７】
【課題を解決するための手段】
この目的を達成するための技術的手段として、本発明は、搬送路により搬送されてきた紙幣を収容する紙幣収容装置であって、この紙幣収容装置はスタッカ装置と紙幣金庫と光学的検出センサとを備え、前記紙幣金庫は前後方向に移動させることで着脱可能に形成され、前記スタッカ装置により押し込まれる紙幣を保持する押え部材がスプリングを介して取り付けられ、この押え部材の下部には棒状の押圧部材が下向きに突設され、前記紙幣金庫の底板に横方向に形成されたスリット孔に沿って移動可能に形成され、前記スタッカ装置は、前端に下方への切り欠きが形成され、前記紙幣金庫を水平に引き出す時に前記押圧部材がぶつからないようにし、底部の下面には検出可動部材と前記光学的検出センサとが配設され、前記検出可動部材は、アーム状に形成されそのほぼ中央部に回転支軸を取り付けることで水平面内を回転できるように形成されると共に、スプリングを介して付勢されており、一方の端部が前記棒状の押圧部材と接離可能に位置し、他方の端部は前記光学的検出センサに出入可能に形成され、前記紙幣金庫に所定枚数の紙幣が収容された時に、前記押圧部材が前記検出可動部材に係合し、この検出可動部材を前記光学的検出センサが検出することを特徴とする紙幣収容装置を要旨とするものである。
【０００８】
【発明の実施の形態】
次に、本発明に係る紙幣収容装置の実施形態を添付図面に基づいて説明する。図１において、１はケースであり、前面に開閉扉１ａを有し、このケース１内の上部には制御装置２が取り付けられ、下部にはスタッカ装置３と紙幣金庫４とが配設されている。
【０００９】
スタッカ装置３は、前記遊技媒体貸し機Ｎに連結された搬送路５により搬送されてきた紙幣（例えば千円札）を１枚ずつ紙幣金庫４に押し込めるようにしてあり、底部の両側には一対のガイド部３ａが前後方向に形成され、底部の下面には図２のように検出可動部材６と光学的検出センサ７とが配設されている。
【００１０】
紙幣金庫４は、板状の押え部材４ａがスプリング４ｂを介して取り付けられ、前記スタッカ装置３により押し込まれた紙幣８を横立ちの状態で保持できるようにしてあり、上部にはガイドバー４ｃを横方向に架設し、このガイドバー４ｃにより押え部材４ａを直立状態で円滑に移動させると共に、紙幣８の飛び出しを防止して整列状態を保持させる。
【００１１】
この紙幣金庫４は、前記スタッカ装置３のガイド部３ａに沿って前後方向に移動させることで着脱可能に形成され、押え部材４ａの下部には図２のように棒状の押圧部材９が下向きに突設され、この押圧部材９は紙幣金庫４の底板に横方向に形成されたスリット孔４ｄに沿って移動可能に形成されている。パイプ型の押圧部材９は、従来のＬ型係合片Ｇより丈夫であり変形し難い。
【００１２】
前記検出可動部材６は、アーム状に形成されそのほぼ中央部に回転支軸６ａを取り付けることで、この回転支軸６ａを中心として水平面内を回転できるように形成され、且つ前方寄りにスプリング６ｂを取り付けて反時計回りに付勢してある。
【００１３】
前記光学的検出センサ７は、発光部と受光部とが対設されたフォトセンサであり、開口部７ａを下向きにして取り付けられ、この開口部７ａに前記検出可動部材６の後端部Ｑが出入可能に位置付けられている。
【００１４】
このように構成された本発明に係る紙幣収容装置１０は、前記搬送路５により送られてくる紙幣をスタッカ装置３で紙幣金庫４内に押し込み、この紙幣金庫４内の紙幣８の枚数が増えるにつれて押え部材４ａがスプリング４ｂを縮めながら徐々に移動する。この押え部材４ａの移動に伴って、前記押圧部材９がスリット孔４ｄに沿って移動しながら検出可動部材６に近付き、紙幣８が予め設定した所定枚数に達すると、図２に仮想線で示すように押圧部材９が検出可動部材６の先端部Ｐに接触してこれを押す。
【００１５】
この時、検出可動部材６は、スプリング６ｂを伸ばしながら回転支軸６ａを支点として時計回りに水平回転し、後端部Ｑが前記検出センサ７の開口部７ａに入り込む。すると、検出センサ７が検出可動部材６を検出すると共に、その検出信号を前記制御装置２に入力し前面の表示部２ａに点灯等の所定の表示がなされる。
【００１６】
この表示は、前記ケース１の開閉扉１ａに設けられた透明窓１ｂを通して係員が認識することができ、この表示を確認した係員は開閉扉１ａを解錠して開き、図１のように紙幣金庫４を手前に引き出して取り出す。この時、紙幣金庫４の押圧部材９は、検出可動部材６から離れる方向に移動するため先端部Ｐとの係合が解除され、この検出可動部材６はスプリング６ｂの復元力により回転支軸６ａを支点として反時計回りに回転して元の位置に戻り、検出可動部材６の後端部Ｑは検出センサ７の開口部７ａから外に出る。これにより、制御装置２の表示部２ａの表示が消滅する。
【００１７】
図２のようにスタッカ装置３の前端には下方への深い切り欠き３ｂが形成されているため、紙幣金庫４の引出しに際して下方に突出している押圧部材９がぶつかることなく、紙幣金庫４を水平に引き出すことができる。引き出した紙幣金庫４に替えて空の紙幣金庫をスタッカ装置３のガイド部３ａに沿って押し込めば、その空の紙幣金庫を簡単にセットすることができる。セット後に、ケース１の開閉扉１ａを閉じて施錠する。
【００１８】
このような紙幣金庫４の交換中は、制御装置２の指令信号によりスタッカ装置３の作動は停止され、搬送路５から搬送された紙幣はスタッカ装置３に保留される。スタッカ装置３の停止と同時に搬送路５を一旦停止させる場合もある。
【００１９】
【発明の効果】
以上説明したように、本発明によれば、紙幣収容装置１０の紙幣金庫４を水平に引き出して取り出せるようにしたので、紙幣金庫４の交換時に従来のようにケース１内に手を差し入れて押圧部材９と検出センサ７との係合を手探りで外すといった面倒な手間が省け、紙幣金庫４の交換作業を容易に且つ能率良く行えると共に、検出センサ７の破損を防止する効果を奏する。
又、紙幣金庫４を水平に引き出せることから、紙幣金庫４と制御装置２との間に広いスペースを確保する必要がなくなり、ケース１を小型にすることで紙幣収容装置１０をコンパクトに製作できる効果も奏する。
【図面の簡単な説明】
【図１】本発明に係る紙幣収容装置の実施形態を示すもので、紙幣金庫交換時の斜視図
【図２】紙幣収容装置の要部を下から見上げた状態図
【図３】従来の紙幣収容装置を示すもので、紙幣金庫交換時の斜視図
【図４】同装置の要部を下から見上げた状態図
【図５】紙幣収容装置の配設位置を示す概略平面図
【符号の説明】
１…ケース
２…制御装置
３…スタッカ装置
４…紙幣金庫
４ａ…押え部材
４ｂ…スプリング
５…搬送路
６…検出可動部材
６ａ…回転支軸
６ｂ…スプリング
７…検出センサ
８…紙幣
９…押圧部材
１０…紙幣収容装置
【図１】
0004023973.tif 000002
【図２】
0004023973.tif 000003
【図３】
0004023973.tif 000004
【図４】
0004023973.tif 000005
【図５】
0004023973.tif 000006